(57)【要約】【課題】  金属遮蔽電線が曲げられて金属遮蔽層を構成する金属テープの合わせ目に隙間ができても、金属遮蔽層は遮蔽性能が低下せず、安定した遮蔽性能を維持することができる金属遮蔽電線を提供する。【解決手段】  少なくとも１本の絶縁線心１と、その外周に４枚に分割された金属テープ５が縦添え被覆された金属遮蔽層７と、その外周に被覆された保護外被６とを備えた金属遮蔽電線において、前記金属遮蔽層７が内外複数層に形成され、隣り合う内外２層、即ち、内側の金属遮蔽層８と外側の金属遮蔽層９における金属テープ５の合わせ目５ａが内外２層間、即ち、内側の金属遮蔽層８と外側の金属遮蔽層９間で相互に重ならないように周方向に４５度変位して配置されている。【選択図】        図１
2006173044.tif 000002
【特許請求の範囲】
【請求項１】
少なくとも１本の絶縁線心と、その外周に複数枚に分割された金属テープが縦添え被覆された金属遮蔽層と、その外周に被覆された保護外被とを備えた金属遮蔽電線において、前記金属遮蔽層が内外複数層に形成され、隣り合う内外２層の金属遮蔽層における金属テープの合わせ目が内外２層間で相互に重ならないように周方向に変位して配置されていることを特徴とする金属遮蔽電線。
【発明の詳細な説明】
【技術分野】
【０００１】
本発明は、電子機器類の電気回路に配線材から外的電磁ノイズが混入するのを防止するために、配線材に遮蔽（シールド）機能を持たせた金属遮蔽電線（シールド電線）（ケーブルを含む）に関するものである。
【背景技術】
【０００２】
従来、この種の金属遮蔽電線として、図６に示すように、導体２上にゴム、プラスチック等の絶縁体３等が被覆された少なくとも１本の絶縁線心１と、その外周に複数枚に分割された銅テープ等の金属テープ５が絶縁線心１の長手方向に沿って縦添え被覆された金属遮蔽層４と、その外周に被覆された保護外被６とを備えたものが提案されている（特許文献１参照）。
【０００３】
【特許文献１】特開２０００−９０７４８号公報
【発明の開示】
【発明が解決しようとする課題】
【０００４】
しかしながら、従来の金属遮蔽電線は、その製造時や電気機器類への配索時等に曲げられて金属遮蔽層を構成する金属テープにしわや滑りが生じた場合、金属テープの合わせ目に隙間ができて、金属遮蔽層の遮蔽性能が低下する問題がある。
【０００５】
本発明は上記課題を解決し、金属遮蔽電線が曲げられて金属遮蔽層を構成する金属テープの合わせ目に隙間ができても、金属遮蔽層は遮蔽性能が低下せず、安定した遮蔽性能を維持することができる金属遮蔽電線を提供することを目的とするものである。
【課題を解決するための手段】
【０００６】
本発明の請求項１に記載された金属遮蔽電線は、少なくとも１本の絶縁線心と、その外周に複数枚に分割された金属テープが縦添え被覆された金属遮蔽層と、その外周に被覆された保護外被とを備えたものにおいて、前記金属遮蔽層が内外複数層に形成され、隣り合う内外２層の金属遮蔽層における金属テープの合わせ目が内外２層間で相互に重ならないように周方向に変位して配置されていることを特徴とするものである。
【発明の効果】
【０００７】
本発明の金属遮蔽電線によると、金属遮蔽層が内外複数層に形成され、隣り合う内外２層の金属遮蔽層における金属テープの合わせ目が内外２層間で相互に重ならないように周方向に変位して配置されているので、金属遮蔽電線がその製造時や電気機器類への配索時等に所定角度曲げられて、金属遮蔽層を構成する金属テープにしわや滑りが生じ、隣り合う内外２層の金属遮蔽層のうち、例えば、内側の金属遮蔽層の金属テープの合わせ目に隙間ができた場合には、その合わせ目が外側の金属遮蔽層の金属テープで塞がれる。また、外側の金属遮蔽層の金属テープの合わせ目に隙間ができた場合には、その合わせ目が内側の金属遮蔽層の金属テープで塞がれる。従って、金属遮蔽層の金属テープの合わせ目に隙間ができても、実質上隙間のない状態になるほか、金属遮蔽層が内外複数層に形成されることにより、金属遮蔽層の直流抵抗が下がるので、金属遮蔽電線が曲げられた状態でも、金属遮蔽層は遮蔽性能が低下せず、安定した遮蔽性能を維持することができる。
【発明を実施するための最良の形態】
【０００８】
次に、本発明の実施形態を図面により詳細に説明する。図１は本発明に係る金属遮蔽電線の一実施形態を示す斜視図、図２はその拡大断面図である。なお、従来の金属遮蔽電線と同じ構成のものには同一符号が付してある。この金属遮蔽電線は、１本（本例）又は複数本の絶縁線心（ケーブルコア）１と、その外周に被覆された金属遮蔽層（シールド層）７と、その外周にポリ塩化ビニル樹脂等が押出被覆された保護外被（シース）６とを備えている。
【０００９】
絶縁線心１は、導体２上にゴム、プラスチック等の絶縁体３等が被覆されて形成される。金属遮蔽層７は内外複数層（本例は２層）に形成される。隣り合う内外２層、即ち、内側の金属遮蔽層８及び外側の金属遮蔽層９は、それぞれ複数枚（本例は４枚）に分割された銅テープ等の金属テープ５（金属箔、金属フイルム、金属帯条等を含む）が、その長手方向に沿った合わせ目５ａが内外２層間で相互に重ならないように周方向に、所定角度、例えば、図示のように４５度変位して配置されるようにして、絶縁線心１の外周に長手方向に沿って縦添え被覆されて形成される。
【００１０】
金属遮蔽層７を構成する内側の金属遮蔽層８を形成する場合には、例えば、図３、４に示すように、絶縁線心１の走行ライン上の前側部（走行ラインの下流側）に所定長さの金属テープ５が巻回収納されたリール、ボビン等の１対のテープ巻装体１０を上下方向に対向して配設する。また、これより絶縁線心１の長手方向に所定間隔を隔てた後側部（走行ラインの上流側）に、他の１対のテープ巻装体１０を左右方向に対向して配設する。次に、絶縁線心１を２対のープ巻装体１０の間に通して、図３の矢印方向に所定速度で走行させながら、２対４個のープ巻装体１０をそれぞれ矢印方向に回転させ、各ープ巻装体１０から金属テープ５を繰り出して、絶縁線心１の外周に各金属テープ５の両側縁同士が隙間なく突き合わさるようにしながら長手方向に沿って縦沿え被覆することにより形成する。
【００１１】
次に、金属遮蔽層７を構成する外側の金属遮蔽層９を形成する場合には、図示省略するが、内側の金属遮蔽層８が被覆された絶縁線心１を周方向の左右いずれかの方向に、例えば、４５度回転させて、再び、前記２対のテープ巻装体１０の間に通し、内側の金属遮蔽層８を形成したのと同様にして、絶縁線心１の外周に、内側の金属遮蔽層８を介して各金属テープ５の両側縁同士が隙間なく突き合わさるようにしながら、且つ、金属テープ５の合わせ目５ａが内側の金属遮蔽層８における金属テープ５の合わせ目５ａと内外２層間で相互に重ならないようにしながら、長手方向に沿って縦沿え被覆することにより形成する。
【００１２】
なお、本例では、外側の金属遮蔽層９における金属テープの合わせ目５ａは、内側の金属遮蔽層８における金属テープ５の合わせ目５ａに対して、周方向に４５度変位させたが、金属遮蔽層７の内外２層８、９間で金属テープ５の合わせ目５ａが相互に重ならないようにすればよいので、周方向に４５度より小さく、又は大きく変位させてもよい。また、本例では、4枚に分割された金属テープ５を用いて金属遮蔽層７を形成したが、２、３枚、又は５枚以上に分割された金属テープ５を用いて金属遮蔽層７を形成するようにしてもよい。金属テープ５の使用枚数は、金属遮蔽層７の形成のし易さ等を考慮して選定される。一般に、絶縁線心１の外径が小さく、細物の場合は、使用枚数が少なく、絶縁線心１の外径が大きく、太物になるに従って、使用枚数が多くなる。図５は太物の絶縁線心１の外周に６枚に分割された金属テープ５を縦沿え被覆して金属遮蔽層７、即ち、内側の金属遮蔽層８及び外側の金属遮蔽層９を形成する状態を示している。更に、金属テープ５は銅材だけでなく、銅材と、透磁率のよい鉄材やニッケル材等を併用してもよい。このようにすると、より広い周波数帯での遮蔽性能を向上させることができるので好ましい。
【００１３】
本発明に係る金属遮蔽電線は、上記のように、金属遮蔽層７が内外複数層に形成され、隣り合う内外２層の金属遮蔽層８、９における金属テープ５の合わせ目５ａが内外２層間で相互に重ならないように周方向に変位して配置されているので、金属遮蔽電線がその製造時や電気機器類への配索時等に所定角度曲げられて、金属遮蔽層７を構成する金属テープ５にしわや滑りが生じ、隣り合う内外２層の金属遮蔽層８、９のうち、例えば、内側の金属遮蔽層８の金属テープ５の合わせ目５ａに隙間ができた場合には、その合わせ目５ａが外側の金属遮蔽層９の金属テープ５で塞がれる。また、外側の金属遮蔽層９の金属テープ５の合わせ目５ａに隙間ができた場合には、その合わせ目５ａが内側の金属遮蔽層８の金属テープ５で塞がれる。従って、金属遮蔽層７の内外２層間、即ち、内側の金属遮蔽層８と外側の金属遮蔽層９間の金属テープ５の合わせ目５ａに隙間ができても、実質上隙間のない状態になるほか、金属遮蔽層７が内外複数層に形成されることにより、金属遮蔽層の直流抵抗が下がるので、金属遮蔽電線が曲げられた状態でも、金属遮蔽層７は遮蔽性能が低下せず、安定した遮蔽性能を維持することができる。
【図面の簡単な説明】
【００１４】
【図１】本発明に係る金属遮蔽電線の一実施形態を示す斜視図である。
【図２】図１に示す金属遮蔽電線の断面図である。
【図３】図１の金属遮蔽電線において、金属遮蔽層を構成する内側の金属遮蔽層を形成する方法の一例を示す斜視図である。
【図４】図３における内側の金属遮蔽層の形成方法において、絶縁線心の走行方向の下流側から上流側に向かって見た状態の図である。
【図５】図３の形成方法において、６枚の金属テープを用いて太物の絶縁線心の外周に金属テープを縦沿え被覆する場合、絶縁線心の走行方向の下流側から上流側に向かって見た状態の図である。
【図６】従来の金属遮蔽電線を示す断面図である。
【符号の説明】
【００１５】
１      絶縁線心
２      導体
３      絶縁体
５      金属テープ
５ａ    合わせ目
６      保護外被
７      金属遮蔽層
８      内側の金属遮蔽層
９      外側の金属遮蔽層
１０    テープ巻装体
【図１】
2006173044.tif 000003
【図２】
2006173044.tif 000004
【図３】
2006173044.tif 000005
【図４】
2006173044.tif 000006
【図５】
2006173044.tif 000007
【図６】
2006173044.tif 000008